(57)【特許請求の範囲】
【請求項１】
開口部が形成された弁箱と、
該弁箱に取り外し可能に設けられ、前記開口部を覆う弁蓋と、
該弁箱に支持された弁軸を介して回動可能な弁体と、
前記弁体の弁座に着座する面と反対の背面に当接するストッパ手段とを有し、
前記弁体の開閉によって前記弁箱内を通過する流路を開閉するとともに、前記ストッパ手段の移動によって前記弁体の開度が変更されるスイング式のチェッキ弁において、
前記ストッパ手段は、前記弁蓋を貫通して前記弁箱内に入り込むスピンドルと、
該スピンドルの弁箱外の一端に設けられたハンドルと、
前記スピンドルの弁箱内で回転自在に装着されたストッパ部材と、
前記弁蓋の前記弁箱外に立設され前記スピンドルが螺合される鳥居部材とを有し、
該ストッパ手段は、前記ハンドルを回転することにより、前記鳥居部材への螺合によって回転移動するスピンドルを介して前記ストッパ部材が移動し、前記弁体の開度が変更されることを特徴とするスイング式チェッキ弁。
【請求項２】
請求項１に記載のスイング式チェッキ弁において、
前記ストッパ手段が前記弁蓋に移動可能に支持されたスピンドルと、該スピンドルの前記弁箱内に入り込んだ先端に取り付けたストッパ部材とを有し、該ストッパ部が前記弁体の背面に当接することを特徴とするスイング式チェッキ弁。
【請求項３】
請求項１または２に記載のスイング式チェッキ弁において、
前記弁体の前記背面には前記ストッパ部材の移動方向に延び、かつ該ストッパ部材が当接するリブが形成されていることを特徴とするスイング式チェッキ弁。
【請求項４】
請求項２または３に記載のスイング式チェッキ弁において、
前記ストッパ部材はスピンドルの軸線周りを回転可能に当該スピンドルに装着されていることを特徴とするスイング式チェッキ弁。
【請求項５】
請求項２ないし４の何れかに記載のスイング式チェッキ弁において、
前記ストッパ部材が前記開口部を通り抜け可能な大きさに形成されていることを特徴とするスイング式チェッキ弁。
【発明の詳細な説明】
【技術分野】
【０００１】
本発明は、スルース弁の機能を備えたスイング式チェッキ弁に関するものである。
【背景技術】
【０００２】
一般に渦巻ポンプ等の吐出側には、ポンプ停止時に配管系からの逆流を防ぐためのチェッキ弁とポンプの流量が出過ぎないように押さえ込むためのスルース弁が標準装備されている。しかしながら、渦巻ポンプ等の設置条件は千差万別であり、その吐出側のスペースが小さく、チェッキ弁とスルース弁の２つの弁を設置する余裕がない場合等多々起こり得る。
【０００３】
ところで、スイング式のチェッキ弁において弁体の開度を規制するストッパを設けたものは知られている。さらに、特許文献１にはストッパを調整移動可能に弁箱に装着し、ストッパの進退によって弁体の開度を調整することができるチェッキ弁が記載されている。この特許文献１のチェッキ弁では、調整移動可能なストッパが当初の設計条件より流量が少ないとき発生するチャタリング防止のために設けたものであって、ある程度開いた角度から全開までの弁の開度を調整することができるように構成している。
【０００４】
かかるチェッキ弁では、弁体や弁座の当接部に設けたゴムシート等の交換や内部の清掃等を行うメンテナンスを適宜実施されている。かかるメンテナンスにおいて、弁全体を配管から外すのは作業が大掛かりになるため、弁蓋を開けて弁体をを取り出して行うことが有利である。ところが、特許文献１のチェッキ弁ではストッパが邪魔をして弁体が取り出し難い。さらに、ストッパ自身も弁箱から取り出しできないので、例えばストッパに入り込んだ異物があったとしても除去し難いという問題があった。
【先行技術文献】
【特許文献】
【０００５】
【特許文献１】特開２００２−００５３１８号公報
【発明の概要】
【発明が解決しようとする課題】
【０００６】
本発明は、上記した従来の問題を解消し、制水機能を持ちしかもメンテナンスも容易に行い得るスイング式チェッキ弁を提供することを目的とする。
【課題を解決するための手段】
【０００７】
上記課題を解決するため、本発明は、開口部が形成された弁箱と、該弁箱に取り外し可能に設けられ、前記開口部を覆う弁蓋と、該弁箱に支持された弁軸を介して回動可能な弁体と、前記弁体の前記弁座に着座する面と反対の背面に当接するストッパ手段とを有し、前記弁体の開閉によって前記弁箱内を通過する流路を開閉するとともに、前記ストッパ手段の移動によって前記弁体の開度が変更されるスイング式のチェッキ弁において、前記ストッパ手段は、前記弁蓋を貫通して前記弁箱内に入り込むスピンドルと、該スピンドルの弁箱外の一端に設けられたハンドルと、前記スピンドルの弁箱内で回転自在に装着されたストッパ部材と、前記弁蓋の前記弁箱外に立設され前記スピンドルが螺合される鳥居部材とを有し、該ストッパ手段は、前記ハンドルを回転することにより、前記鳥居部材への螺合によって回転移動するスピンドルを介して前記ストッパ部材が移動し、前記弁体の開度が変更されることを特徴とするスイング式チェッキ弁を提案する。
【０００８】
なお、本発明は、前記ストッパ手段が前記弁蓋に移動可能に支持されたスピンドルと、該スピンドルの前記弁箱内に入り込んだ先端に取り付けたストッパ部材とを有し、該ストッパ部が前記弁体の前記背面に当接すると有利である。
【０００９】
さらに、本発明は、前記弁体の前記背面には前記ストッパ部材の移動方向に延び、かつ該ストッパ部材が当接するリブが形成されていると有利である。
【００１０】
さらにまた、本発明は、前記ストッパ部材はスピンドルの軸線周りを回転可能に当該スピンドルに装着されていると有利である。
さらにまた、前記ストッパ部材が前記開口部を通り抜け可能な大きさに形成されていると有利である。
【発明の効果】
【００１１】
本発明によれば、チェッキ弁に制水機能を持たせたので、コストダウンのみならず、省スペース化が得られ、しかも弁のメンテナンスも支障なく行うことができる。
【図面の簡単な説明】
【００１２】
【図１】本発明に係るチェッキ弁の縦断面図である。
【図２】図１のII−II線に従う断面図である。
【図３】ストップ部材とスピンドルを示す説明図である。
【図４】鳥居部材を示す説明図である。
【発明を実施するための形態】
【００１３】
以下、本発明を好ましい実施の形態を添付図面に基づいて説明する。
図１は、本発明に係るスイング式チェッキ弁を示す断面正面図、図２はその断面側面図である。
【００１４】
図１及び図２において、符号１は鋳鉄、ステンレス鋳物等から作られたスイング式チェッキ弁の弁箱１であり、弁箱１の左部および右部には通水口２，３が形成されている。弁箱１内には、水平方向に延びる弁棒４を有し、該弁棒４に略円盤状で図の左面が弁座６に着座する弁体５が取り付け固定されている。
【００１５】
弁箱１には、その上部に弁体５等を取り出せる程度の大きさに形成された開口７が形成され、この開口７は通常、弁蓋８によって閉じられている。この弁蓋８には上流の水を落下させるためのバイパス弁９（そのハンドルのみ示す。）と弁体５の開度を規制するストッパ手段１０が設けられいる。なお、バイパス弁９は本発明の要旨ではないのでその詳しい説明を省略する。
【００１６】
ストッパ手段１０は、図１ないし図３に示すように、弁蓋８を貫通して下部側が弁箱１内に入り込んだスピンドル１１を有し、該スピンドル１１の下端には水平方向に延びるブロック状のストッパ部材１５が取り付けられている。また、スピンドル１１の上部には、本実施形態の場合、ネジ溝１２が形成され、その先端にハンドル１３が固定されている。スピンドル１１のネジ溝１２は、弁蓋８に立設された鳥居部材１４（図４に示す）のネジ孔１４ａに螺合され、よってスピンドル１１はハンドル１３を回転することによって軸線方向、すなわち弁箱１を上方より貫通する方向に移動される。また、ストッパ部材１５はスピンドル１１の下部に形成された小径部に回転自在に嵌合され、止めネジ１６によって取り付けられた止めリング１７によって脱落が防止されている。
【００１７】
このように構成されたストッパ手段１０は、上記ストッパ部材１５が弁体５の弁座６に着座する面と反対面に接するように配置されている。そして、弁体５のストッパ部材１５の当接面にはストッパ部材１５の移動方向である上下方向に延びる２本のリブ２０が形成され、このリブ２０の間隔Ｗは図２に示すように、ストッパ部材１５の長手方向の幅Ｈよりも短く、常にストッパ部材１５がリブ２０に当接するように設定されている。なお、リブ２０は２本形成することが有利であるが、リブの本数は２本に限らず、３本以上、さらには１本であっても良い。
【００１８】
このように構成されたチェッキ弁は、ストップ手段１０のストップ部材１５が弁体５に当る位置で弁の開度を調整するスルース弁としても機能が備えられる。したがって、ポンプ設備においてスルース弁が省略することができ、機械部品の節約のみならず、設置場所のスペースも縮小される。このとき、ストッパ部材１５はリブ２０に接しながら図１の垂直方向に移動する構成上、弁体５の弁開度を弁座６に着座している閉じた位置から予め定められている全開位置（ほぼ６０°）までの任意の角度に設定することができる。
【００１９】
さらに、本実施形態のチェッキ弁はストップ部材１５がリブ２０を介して弁体５に当接するので、接触面積が小さく抵抗が少ないため、ストップ手段１０の作動をスムースに行い得ることができる。さらに、ストップ部材１５はスピンドル１１に回転自在に装着されているので、２本のリブ２０にほぼ均等に当り、スムーズに移動することができる。
【００２０】
なお、上記実施形態のチェッキ弁においては弁棒４の一端を弁箱１外まで延在させ、その弁箱１外にて弁棒４に対し弁体５が弁座６に着座する方向への回動力を付勢する付勢手段２１を設けている。このとき、弁棒４が弁箱１を貫通する貫通部にはグランドケース２２を設け、該グランドケース２２内には、弁棒４に接するＯリング等のシール手段を設けている。
【００２１】
かかるシール構造は上記スピンドル１１が弁蓋８を貫通する貫通部にも設けられ、すなわち弁蓋８の貫通部にもどうようの構成のグランドケース２２等が設けられている。なお、本実施形態では貫通部での弁棒４と上記スピンドル１１とを同径にすれば、シール部の部品を共通使用することもできる。
【符号の説明】
【００２３】
１    弁箱
４    弁棒
５    弁体
６    弁座
７    開口部
８    弁蓋
１０    ストッパ手段
１１    スピンドル
１５    ストッパ部材
【図１】
0005564228.tif 000002
【図２】
0005564228.tif 000003
【図３】
0005564228.tif 000004
【図４】
0005564228.tif 000005